(57)【要約】【課題】角を有する面に容易にハート形を表すことができる方法及び面状体を提供する。【解決手段】互いに交差して間に角１を有する二つの面２，３に、前記角１を対称中心線にしてそれぞれ半円４，５を描くことで、前記二つの面２，３にわたって描かれる円形を視認方向に応じてハート形として表す【選択図】図１
2019098579.tif 000002
【特許請求の範囲】
【請求項１】
互いに交差して間に角を有する二つの面に、前記角を対称中心線にしてそれぞれ半円を描くことで、前記二つの面にわたって描かれる円形を視認方向に応じてハート形として表す方法。
【請求項２】
前記二つの面が建物のコーナー部を構成する壁面である、請求項１に記載の方法。
【請求項３】
角を有するあるいは折り目を介して折り曲げることで角を有する面状体であって、
前記角を挟む二つの面に前記角を対称中心線にしてそれぞれ半円が描かれている、面状体。
【発明の詳細な説明】
【技術分野】
【０００１】
本発明は、ハート形を表す方法及び面状体に関する。
【背景技術】
【０００２】
ハート形は、心臓を表すマークであり、好意や好感、可愛らしさ、喜び、真心や心のふれあい等、良い印象を与えるマークとして多用されている。そのため、企業のロゴマークとして採用されることもある。
【０００３】
このようなハート形等のマークは、通常、建物の壁面、看板、その他の物体の平坦な面に描くことにより、例えばＰＲやシンボルマーク等の目的で公衆に見せられる一方で、建物の壁面のコーナー部や角型の物体の端縁部等、角を間に有する二面に跨ぐようにしては通常描かれず、上述したコーナー部等に余白が生じていた。
【発明の概要】
【発明が解決しようとする課題】
【０００４】
本発明は、上記した課題に着目してなされたものであり、上述したコーナー部等の余白を有効利用するために、間に角を有する二面に跨って容易にハート形を表すことができる方法及び面状体を提供することを目的とする。
【課題を解決するための手段】
【０００５】
上記課題を解決することができる本発明に係るハートを表す方法は、互いに交差して間に角を有する二つの面に、前記角を対称中心線にしてそれぞれ半円を描くことで、前記二つの面にわたって描かれる円形を視認方向に応じてハート形として表すことを特徴とする。
【０００６】
上記方法が適用される二つの面は、互いに交差して間に角を有する二つの面であれば特に限定されるものではなく、例えば、ビルや家屋等の建物の壁面のコーナー部や屋根の尾根部、階段の蹴上げ及び踏面の境界部、角型（例えば直方体状、立方体状、角柱状、角筒状、角錐状、星形状等）の物体（例えば容器、箱、看板等）の端縁部や物体の角型をなす一部分（例えば船舶の先端部分等）の端縁部、断面視Ｖ字状のくぼみを有する物体の谷底部、パンフレット等の見開き、等を構成する二つの面を例示することができる。
【０００７】
また、上記課題を解決することができる本発明に係るハートを表す面状体は、角を有するあるいは折り目を介して折り曲げることで角を有する面状体であって、前記角を挟む二つの面に前記角を対称中心線にしてそれぞれ半円が描かれていることを特徴とする。
【発明の効果】
【０００８】
本発明によれば、角を有する二つの面に当該角を対称中心線にしてそれぞれ半円を描くことで、二つの面にわたって描かれる円形のマークを、視認方向に応じて必然的に遠近感と視覚（錯覚）作用によりハート形として表すことができる。よって、建物の壁面のコーナー部等の余白に、容易な方法で良い印象を与えるハート形を人に視認させることができる。
【図面の簡単な説明】
【０００９】
【図１】間に角を有する二つの面の概略構成を示す平面図である。
【図２】図１の矢印Ａの方向から見た図である。
【図３】図１の矢印Ｂの方向から見た図である。
【図４】円形のマークを斜め上方から見た図である。
【図５】円形のマークを斜め下方から見た図である。
【図６】間に角を有する二つの面の他の実施形態の概略構成を示す斜視図であり、円形のマークを斜め上方から見た図である。
【図７】間に角を有する二つの面の他の実施形態の概略構成を示す斜視図であり、円形のマークを斜め下方から見た図である。
【図８】面状体の平面図である。
【図９】面状体の角に描かれた円形のマークを斜め上方から見た図である。
【図１０】面状体の角に描かれた円形のマークを斜め下方から見た図である。
【図１１】他の実施形態の面状体の斜視図であり、面状体の角に描かれた円形のマークを斜め上方から見た図である。
【発明を実施するための形態】
【００１０】
以下、本発明の実施形態について、添付図面を参照して説明する。本発明は、角を利用して円形を視認方向に応じてハート形に見せることで、良い印象を与えるマークであるハート形を容易な方法で人に視認させることが可能なものである。
【００１１】
具体的には、図１〜図３に示すように、互いに交差して間に角１を有する二つの面２，３に、角１（稜線）を対称中心線にしてそれぞれ半円４，５を描く。これにより、この二つの面２，３にわたって描かれる単なる円形のマークを、図４及び図５に示すように、視認方向（図４は斜め上方からマークを見た場合であり、図５は斜め下方からマークを見た場合である。）に応じてハート形として表すことができる。
【００１２】
二つの面２，３がなす角１について、その角度θは、鋭角、直角及び鈍角のいずれであってもよい。また、角１は、その稜線が鉛直方向に延びていてもよいし、鉛直方向に対して傾斜する方向に延びていてもよい。また、角１は、必ずしも尖っている必要はなく、僅かに丸みを有していてもよい。
【００１３】
なお、図１〜図３では、角１が外向きに突き出ており、この場合には、半円４，５からなる円形のマークを斜め上方から見ると通常のハート形として表され（図４）、斜め下方から見ると上下逆向きのハート形で表される（図５）。これに対して、角１が内向きにへこむ場合には、半円４，５からなる円形のマークを斜め上方から見ると、図６に示すように、上下逆向きのハート形で表され、斜め下方から見ると、図７に示すように、通常のハート形として表される。
【００１４】
このような、間に角１を有する二つの面２，３としては、例えば、ビルや家屋等の建物のコーナー部を構成する壁面を例示することができる。壁面は、建物の外部のコーナー部を構成する外壁面、あるいは、内部のコーナー部を構成する内壁面のいずれでもよい。建物の壁面の角に円形を描くことにより、当該建物の近くを往来する人や、当該建物の近くの建物内に居る人、当該建物内にいる人等、多くの人に対して、角に描いた円形のマークを視認方向に応じてハート形として視認させることができ、注意を引くことができる。
【００１５】
間に角１を有する二つの面２，３は、その他にも、例えば、建物の屋根の尾根部、階段の蹴上げ及び踏面の境界部、角型の物体（例えば容器、箱、看板等）の端縁部、物体の角型をなす一部分（例えば船舶の先端部分等）の端縁部、断面視Ｖ字状のくぼみを有する物体の谷底部、パンフレット等の見開き、等を構成する二つの面を例示することができるが、上述した例に限定されるものではなく、間に角１を有するものであれば、いかなる面であってもよい。
【００１６】
なお、図１〜図５では、半円４，５からなる円形のマークが描かれる対称を角柱状としているが、その他、例えば直方体状、立方体状、角筒状、角錐状、星形状等であってもよい。また、図６及び図７では、半円４，５からなる円形のマークが描かれる対称を、円柱に断面視Ｖ字状のくぼみ６を設けた略円柱状としているが、その他、例えば球体、円錐、角柱に断面視Ｖ字状のくぼみ６を設けた略球体状、略円錐状、略角柱状等であってもよい。
【００１７】
二つの面２，３にそれぞれ描かれる半円４，５は、真円を二等分したものの他、楕円を二等分したものであってよく、楕円も縦長及び横長のいずれであってもよい。
【００１８】
上述した方法では、間に角１を有する二つの面２，３に角１を跨ぐようにして円形のマークを直接描くことで視認方向に応じてハート形を表しているが、次に説明する面状体を二つの面２，３に装着することで、視認方向に応じてハート形を表してもよい。
【００１９】
図８に示す実施形態の面状体１０は、平面状のものであり、後述する角１１となる折り目１６を間に挟んで二つの面１２，１３を少なくとも有する。この二つの面１２，１３に折り目１６（角１１）を対称中心線にしてそれぞれ半円１４，１５を描く。そして、面状体１０を折り目１３で折り曲げて、角１１を形成することで、二つの面１２，１３にわたって描かれる半円４，５からなる単なる円形のマークを、図９及び図１０に示すように、視認方向（図９は斜め上方からマークを見た場合あり、図１０は斜め下方からマークを見た図である。）に応じてハート形として表すことができる。
【００２０】
なお、図９及び図１０は、角１が外向きに突き出るように面状体１０を折り曲げているが、角１が内向きにへこむように面状体１０を折り曲げてもよく、この場合には、図示は省略するが、半円４，５からなる円形のマークを斜め上方から見ると、上下逆向きのハート形で表され、斜め下方から見ると、通常のハート形として表される。
【００２１】
この平面状の面状体１０は、建物の壁面のコーナー部、屋根の尾根部、階段の蹴上げ及び踏面の境界部、角型の物体の端縁部、等に接着剤等で貼り付けることで装着することができ、例えば、壁紙、クロス、外装材、シール等を例示することができる。
【００２２】
また、図１１に示す他の実施形態の面状体２０は、角筒状のものであり、角２１と、角２１を間に挟む二つの面２２，２３を少なくとも有する。この二つの面２２，２３に角２１を対称中心線にしてそれぞれ半円２４，２５を描くことにより、同様に、二つの面２２，２３にわたって描かれる単なる円形のマークを、視認方向に応じてハート形として表すことができる。なお、図１１は斜め上方からマークを見た図である。
【００２３】
この角筒状の面状体２０は、角型の物体に巻き付けることで装着することができ、例えば角型の容器に用いられるラベル等を例示することができる。
【００２４】
その他、面状体１０としては、衣類（例えばスカート等）やカーテン等のプリーツ、日の丸をモチーフとしたＶ字に折れたシート材等を例示することができる。日の丸をモチーフにすることで、中央に描かれた赤丸が視認方向によりハート形に見え、これにより、日本の心、おもてなし、大和魂、愛国心、愛等の印象を与えることができる。
【００２５】
上述した面状体１０，２０の素材は、紙、段ボール、プラスチックシート、板、フィルム等、種々のものを用いることができ、特に限定されるものではない。
【００２６】
本発明によると、角１を有する二つの面２，３に当該角１を対称中心線にしてそれぞれ半円４，５を描くことで、二つの面２，３にわたって描かれる円形のマークを視認方向に応じてハート形として表すことができる。また、面状体１０，２０を、角１を有する面２，３に装着することによっても、面状体１０，２０に描かれた単なる円形のマークを視認方向に応じてハート形として表すことができる。よって、容易な方法で、良い印象を与えるハート形を人に視認させることができる。
【００２７】
以上、本発明の実施形態について説明したが、本発明に係る中仕切材は、上記実施形態に限定されるものではなく、本発明の趣旨を逸脱しない限りにおいて種々の変更が可能である。
【符号の説明】
【００２８】
１  角
２，３  面
４，５  半円
１０，２０  面状体
１１，２１  面状体の角
１２，１３，２２，２３  面状体の面
【図１】
2019098579.tif 000003
【図２】
2019098579.tif 000004
【図３】
2019098579.tif 000005
【図４】
2019098579.tif 000006
【図５】
2019098579.tif 000007
【図６】
2019098579.tif 000008
【図７】
2019098579.tif 000009
【図８】
2019098579.tif 000010
【図９】
2019098579.tif 000011
【図１０】
2019098579.tif 000012
【図１１】
2019098579.tif 000013